(57)【要約】【課題】簡単な構成でありながら、捲り上げたカレンダー紙葉の角部をしっかりと好適に保持させることができるカレンダーを提供する。【解決手段】本発明に係るカレンダー１は、台紙２の下辺と、複数枚のカレンダー紙葉３の上辺とが、リング５（綴じ手段）によって綴じられ、各カレンダー紙葉３をリング５を介して台紙２の下方へ吊り下げた状態から、下辺側をリング５よりも上方まで移動させ、台紙２の前面に重ねた状態まで変化可能なように構成され、台紙２の両肩部２ｄ，２ｅ近傍に、カレンダー紙葉３の角部３ａ，３ｂを差し込むことができる切欠７，７をそれぞれ形成し、切欠７，７の側縁７ｂの外側に、台紙２を補強するためのフラップ１０を形成したことを特徴とする。【選択図】図１
2010274498.tif 000002
【特許請求の範囲】
【請求項１】
台紙の下辺と、複数枚のカレンダー紙葉の上辺とが、綴じ手段によって綴じられ、前記各カレンダー紙葉を、前記綴じ手段を介して前記台紙の下方へ吊り下げた状態から、下辺側を前記綴じ手段よりも上方まで移動させ、前記台紙の前面に重ねた状態まで変化可能なように構成されたカレンダーにおいて、
前記台紙の両肩部近傍に、前記カレンダー紙葉の角部を差し込むことができる切欠がそれぞれ形成され、
前記切欠の側縁の外側に、前記台紙を補強するためのフラップが形成されていることを特徴とするカレンダー。
【請求項２】
前記切欠が、円弧状に湾曲した帯状に形成され、円弧の曲率の中心側が、それぞれ台紙の肩部側となる向きで配置されていることを特徴とする、請求項１に記載のカレンダー。
【請求項３】
前記切欠の側縁が、前記台紙の側部の延長線上に位置するように設定されていることを特徴とする、請求項１に記載のカレンダー。
【請求項４】
前記切欠の上縁から前記台紙の中央寄りの位置に小孔が形成され、更に、それらの小孔から前記切欠の上縁まで達する、少なくとも５ｍｍ以上の長さの切込が形成されていることを特徴とする、請求項１に記載のカレンダー。
【発明の詳細な説明】
【技術分野】
【０００１】
本発明は、台紙と、複数枚のカレンダー紙葉とを綴じることによって構成した壁掛け式のカレンダーに関する。
【背景技術】
【０００２】
壁掛け式のカレンダーの構造には、様々なタイプのものがあり、複数のカレンダー紙葉の上辺が金具或いは紙製綴じ具によって綴じられ、表示月を変更する際に、最前面のカレンダー紙葉を破り取っていくように構成されたものや、複数のカレンダー紙葉の上辺がリングによって綴じられ、最前面のカレンダー紙葉を捲り上げ、リングを中心として一回転させ、他のカレンダー紙葉の最も後側へ移動させて表示月を変更するように構成されたものなどが知られている。
【０００３】
また最近では、台紙の上辺部を壁面等に係止させて、台紙の下辺と、複数枚のカレンダー紙葉の上辺とをリングで綴じ、台紙の下方にカレンダー紙葉を吊り下げ、表示月を変更する際は、最前面のカレンダー紙葉を捲り上げて、上方の台紙の前面側へ重ねていくように構成したカレンダーが市場に提供されている。
【０００４】
このタイプのカレンダーは、カレンダー紙葉の表面側だけでなく、裏面側も表示面として利用できるため、紙の面積を有効利用でき、使用する紙の量を節約することができる、という利点を有している。
【先行技術文献】
【特許文献】
【０００５】
【特許文献１】意匠登録第１３４８８９２号公報
【発明の概要】
【発明が解決しようとする課題】
【０００６】
しかしながら、上記のようなタイプのカレンダーは、捲り上げて台紙の前面側へ重ねたカレンダー紙葉の両角部が、時間の経過と共に手前側へカールし、或いは、垂れ下がってしまうことがあり、外観上問題がある。尚、この問題を解決できるように、台紙の上辺の全幅にわたって延在するプラスチック製のクリップを取り付け、捲り上げたカレンダー紙葉の上方の辺を、当該クリップによって台紙の上辺とともに挟み込んで保持できるように構成したカレンダーも存在するが、プラスチック製のクリップは、廃棄後に焼却すると有害なガスを発生し、地球の自然環境を保全しようとするうえで問題がある。
【０００７】
本発明は、上記のような従来技術における問題を解決すべくなされたものであって、簡単な構成でありながら、捲り上げたカレンダー紙葉の角部をしっかりと好適に保持させることができるカレンダーを提供することを目的とする。
【課題を解決するための手段】
【０００８】
本発明に係るカレンダーは、台紙の下辺と、複数枚のカレンダー紙葉の上辺とが、綴じ手段によって綴じられ、各カレンダー紙葉を綴じ手段を介して台紙の下方へ吊り下げた状態から、下辺側を綴じ手段よりも上方まで移動させ、台紙の前面に重ねた状態まで変化可能なように構成され、台紙の両肩部近傍に、カレンダー紙葉の角部を差し込むことができる切欠をそれぞれ形成し、切欠の側縁の外側に、台紙を補強するためのフラップを形成したことを特徴としている。
【０００９】
尚、切欠は、円弧状に湾曲した帯状に形成され、円弧の曲率の中心側が、それぞれ台紙の肩部側となる向きで配置されていることが好ましく、また、切欠の側縁が、台紙の側部の延長線上に位置するように設定されていることが好ましい。更に、切欠の上縁から台紙の中央寄りの位置に小孔が形成され、それらの小孔から切欠の上縁まで達する、少なくとも５ｍｍ以上の長さの切込が形成されていることが好ましい。
【発明の効果】
【００１０】
本発明に係るカレンダーは、簡単な構成でありながら、捲り上げたカレンダー紙葉の角部をしっかりと保持させることができ、しかも、プラスチック等の材料を用いることなく製造することができるため、地球の自然環境を保護しようとするうえでも好適である。
【図面の簡単な説明】
【００１１】
【図１】図１は、本発明に係るカレンダー１の斜視図である。
【図２】図２は、図１に示した台紙２の右側の肩部２ｄ付近の拡大図である。
【図３】図３は、図２に示した切欠７から台紙２の中間部２ｆ内へカレンダー紙葉３の角部３ａを差し込むことによって、カレンダー紙葉３を台紙２に保持させた状態を示す図である。
【図４】図４は、図２に示した切欠７の側縁７ｂの外側にフラップ１０が形成されている場合とそうでない場合における、構造上、機能上の差異を説明するための図である。
【発明を実施するための形態】
【００１２】
本発明は、台紙の下辺と、複数枚のカレンダー紙葉の上辺とが、綴じ手段によって綴じられ、各カレンダー紙葉を綴じ手段を介して台紙の下方へ吊り下げた状態から、下辺側を綴じ手段よりも上方まで移動させ、台紙の前面に重ねた状態まで変化可能なように構成されたカレンダーにおいて、台紙の両肩部近傍に、カレンダー紙葉の角部を差し込むことができる切欠をそれぞれ形成し、切欠の側縁の外側に、台紙を補強するためのフラップを形成したことを特徴とするカレンダーとして実施することができるものである。以下、本発明の実施例１として、本発明の特徴的な構造、及び、当該構造から導かれる作用について詳細に説明する。
【実施例１】
【００１３】
図１は、本発明に係るカレンダー１の斜視図である。このカレンダー１は、複数枚のカレンダー紙葉３と、厚紙を二つ折りにして形成した台紙２と、これらを綴じるためのリング５（綴じ手段）とによって構成されている。図示されているように、台紙２を構成する厚紙の一つの辺（下辺）の近傍、及び、各カレンダー紙葉３の一つの辺（上辺）の近傍には、複数の綴じ穴４が形成されており、これらの綴じ穴４に挿通されたリング５によって、台紙２の下辺と、複数枚のカレンダー紙葉３の上辺とが一つに綴じられている。
【００１４】
また、台紙２の表面側の左右の肩部２ｄ，２ｅ（上辺２ａと、側部２ｂ、又は、側部２ｃとの角部）の近傍には、円弧状に湾曲した帯状の切欠７，７（幅５ｍｍ、曲率半径１５〜２０ｍｍ、円弧の角度９０°）が形成されている。これらの切欠７，７は、円弧の曲率の中心側が、それぞれ肩部２ｄ，２ｅ側となる向きで配置されている。また、これらの切欠７，７の上縁から台紙２の中央寄りの位置に小孔８，８が形成されている。更に、これらの小孔８，８から切欠７，７の上縁まで達する切込９，９が形成されている。
【００１５】
図２は、図１に示した台紙２の右側の肩部２ｄ付近の拡大図である。台紙２の側部２ｂには、切欠７の側方から裏面側へ向かって延在するフラップ１０が形成されている。このフラップ１０は、図２において一点鎖線で示すように側部２ｃから外側へ向かって突出形成されており、その先端部１０ａ側を、厚紙を二つ折りして重ねた台紙２の中間部２ｆ内へ折り込んだ状態となっている。尚、台紙２の左側の側部２ｃ（図１参照）にも、図２に示す右側の側部２ｂと同様に、フラップ１０が形成されている。
【００１６】
このカレンダー１は、取り付けようとする壁面等にフックを固定し、台紙２の上辺２ａ近傍の中央部に形成されている吊下用貫通穴６ａ（図１参照）にフックを挿通させて（或いは、画鋲等を、吊下用貫通穴６から壁面等に突き刺して）、台紙２を吊り下げ、リング５によって台紙２とともに綴じられたカレンダー紙葉３を台紙２の下方に吊り下げて使用する。
【００１７】
表示月を変更する場合には、最前面に露呈しているカレンダー紙葉３を捲り上げて（下辺側をリング５よりも上方まで移動させ）台紙２の前面に重ねる。尚、各カレンダー紙葉３の所定の位置（台紙２と重ね合わせた際に、台紙２の吊下用貫通孔６ａと重なる位置）には、台紙２と同様の吊下用貫通孔６ｂが形成されており、捲り上げたカレンダー紙葉３を台紙２と重ねるとき、この吊下用貫通孔６ｂをフックに掛け、台紙２の前面に重ねた状態で保持させる。
【００１８】
更に、そのカレンダー紙葉３の角部３ａ，３ｂ（カレンダー紙葉３の四つの辺のうち、綴じ穴４が形成されている辺とは反対側の辺の両端の角部）を、台紙２の肩部２ｄ，２ｅ近傍に形成されている切欠７，７から台紙２の中間部２ｆ内へ差し込み、それらの角部３ａ，３ｂについても、台紙２に保持させる（図３参照）。２枚目以降のカレンダー紙葉３についても、１枚目のカレンダー紙葉３と同様に、台紙２の前面側に重ねていき、吊下用貫通孔６ｂをフックに掛け、角部３ａ，３ｂを切欠７，７から台紙２の中間部２ｆ内へ差し込んでいく。
【００１９】
角部３ａ，３ｂを切欠７，７へ差し込むと、カレンダー紙葉３の厚みにより、切欠７，７の周辺の台紙２表面においてギャップが生じるが、台紙２は厚紙で構成され、可撓性を有しているため、限度範囲内で弾性変形することになり、かかるギャップは許容される。但し、角部３ａ，３ｂを切欠７，７に差し込むことによって生じるギャップは、差し込むカレンダー紙葉３の厚さ寸法及び枚数に比例して大きくなるため、台紙２（厚紙）における弾性変形の限度範囲を超えてしまうことがある。
【００２０】
例えば、カレンダー紙葉３の一枚の厚さが０．２ｍｍである場合において、それを１２枚（１〜１２月分）重ねると全体の厚さは２．４ｍｍとなり、それらをすべて切欠７，７内に納めようとすると、台紙２の変形だけでは対応できず、切欠７の縁部に亀裂が生じ、台紙２が破けてしまう可能性が非常に高くなる。
【００２１】
本実施例のカレンダー１においては、切欠７，７の上縁７ａから台紙２の中央寄りの位置に形成された小孔８，８まで、切込９，９が形成されているため、切欠７，７周辺における台紙２の変形の自由度（限界）が大きくなり、重ねたカレンダー紙葉３の全体の厚さがかなり大きい場合（例えば、５ｍｍ程度）であっても、台紙２にダメージを与えることなく、切欠７，７内に好適に納めることができる。尚、本実施例においては、切込９，９の長さはそれぞれ３０ｍｍに設定されているが、この長さに限定されるものではなく、５〜１００ｍｍ程度の範囲内で、台紙２の大きさ、厚さ寸法、剛性、カレンダー紙葉３の厚さ寸法、枚数等に応じて、適切な寸法に設定することができる。
【００２２】
また、本実施例のカレンダー１においては、切欠７，７の側縁７ｂの外側位置にフラップ１０が形成されており、このフラップ１０によって切欠７，７周辺における台紙２が補強される構造となっている。この点について詳しく説明すると、図４（１）に示すように、切欠７の側縁７ｂの外側位置にフラップ１０が形成されることにより、側縁７ｂの周辺において台紙２が十分な量で連続することになり、所望の強度を得ることができる。
【００２３】
フラップ１０が形成されていない場合、図４（２）に示すように、切欠７（の側縁７ｂ）を、台紙２の側部２ｂに近い位置に形成すると、切欠７の側縁７ｂぎわの部分において十分な強度を得ることができず、台紙２が簡単に千切れてしまう可能性がある。
【００２４】
また、図４（３）に示すように、切欠７の側縁７ｂと台紙２の側部２ｂとの間に十分な離間寸法を確保した場合、台紙２の強度上の問題は解決できるが、切欠７内に差し込むカレンダー紙葉３の側部の位置は、台紙２の側部２ｂよりかなり内側の位置（図４（３）に示す破線Ｌの位置）となる。つまり、台紙２の横幅寸法を、カレンダー紙葉３の横幅寸法よりも、それだけ大きく設定しなければならない、ということである。この場合、壁面等において吊り下げた場合の見栄えが悪くなってしまうという問題があるほか、材料の取り扱い、製造作業等が煩雑になってしまうという問題も生じる。
【００２５】
本実施例におけるカレンダー１は、上述の通り切欠７の側縁７ｂの外側位置にフラップ１０が形成されているため、切欠７の側縁７ｂの位置を、台紙２の側部２ｂの延長線上（台紙２とフラップ１０の境界線上）に設定することが可能であり、この場合、切欠７内に差し込むカレンダー紙葉３の側部の位置を、台紙２の側部２ｂの位置と合わせることが可能となる。つまり、台紙２の横幅寸法と、カレンダー紙葉３の横幅寸法とを一致させることができ、壁面等において吊り下げた場合の外観上の問題を好適に回避することができ、また、材料の取り扱い、製造作業等を円滑に行うことができる。
【００２６】
尚、本実施例においては、切欠７，７は、円弧状に湾曲した形状となっているが、その形状に限定されるものではなく、例えば、長方形でもよい。但し、円弧状に湾曲した形状の切欠７，７を、円弧の曲率の中心側が、それぞれ肩部２ｄ，２ｅ側となる向きで配置た場合、カレンダー紙葉３の角部３ａ，３ｂを差し込む作業を簡単に、円滑に行う出来るほか、差し込んだ角部３ａ，３ｂと台紙２の中間部２ｆ側の面との接触面積が大きくなるため、より安定的にカレンダー紙葉３を保持させることができる。
【符号の説明】
【００２７】
１：カレンダー、
２：台紙、
２ａ：上辺、
２ｂ，２ｃ：側部、
２ｄ，２ｅ：肩部、
２ｆ：中間部、
３：カレンダー紙葉、
３ａ，３ｂ：角部、
４：綴じ穴、
５：リング、
６ａ，６ｂ：吊下用貫通穴、
７：切欠、
７ａ：上縁、
７ｂ：側縁、
８：小孔、
９：切込、
１０：フラップ、
１０ａ：先端部、
【図１】
2010274498.tif 000003
【図２】
2010274498.tif 000004
【図３】
2010274498.tif 000005
【図４】
2010274498.tif 000006